(57)【要約】【課題】消費エネルギーが少なく、コンパクトなハードディスク破壊装置を提供する。【解決手段】ドリル駆動装置３を支柱４１２で支持し、ドリル駆動装置３を昇降移動させ得る構成とし、ドリル駆動装置３の下方には、ハードディスク装置を載置する支持台５１が配置され、受け部材５１３と固定部材５６とによってハードディスクドライブ装置を挟持固定する固定装置５を備える。固定装置５には、３.５インチハードディスク装置の配置姿勢を示す第１案内面５３２と、２.５インチハードディスク装置の配置姿勢を示す第２案内面５３１が設けられ、複数種類のハードディスクドライブ装置に対して、それぞれ適切な位置に穿孔できる構成となっている。【選択図】図４
2004158172.tif 000002
【特許請求の範囲】
【請求項１】
ハードディスクドライブ装置を載置する支持台と、
前記支持台上において固定された受部材と、
前記受部材に対して進退自在に配置された押接部材と、
前記押接部材を前記受部材方向へ押圧する押圧手段と、
前記押圧手段による押圧状態と、前記押圧手段による押圧が解除された待機状態とに切り換える切換手段と、
前記受部材と押圧部材との間において、押圧部材による押圧方向に沿って設けられ、被固定状態のハードディスクドライブ装置の対向する両側面に対向して、ハードディスクドライブ装置の配置位置を特定する案内手段と、
穿孔装置と、
前記支持台上において、前記受部材と前記押接部材とによって挟みつれられた状態で固定されたハードディスクドライブ装置へ向けて穿孔装置を進行させる移動手段とを備えたハードディスク破壊装置。
【請求項２】
前記受部材と前記押接部材は、大きさの異なる２種類のハードディスクドライブ装置を保持し、前記押接部材の配置位置は、大型ハードディスクドライブ装置の長辺を挟みつけて固定する際の固定位置と、小型ハードディスクドライブ装置の短辺を挟みつけて固定する際の固定位置とを備えており、
大型ハードディスクドライブ装置の配置位置を特定する第１の案内手段と、小型ハードディスクドライブ装置の配置位置を特定する第２の案内手段と備え、
第２の案内手段は、大型ハードディスクドライブ装置の載置面の下側に設けられている請求項１に記載のハードディスク破壊装置。
【請求項３】
前記穿孔装置による穿孔位置が、ハードディスクドライブ装置の平面視における図心となる位置である請求項１又は２に記載のハードディスク破壊装置。
【請求項４】
案内レールと、該案内レールに対してレール軌道に沿って移動自在に係合している移動体とからなる移動機構を、
前記支持台を支持する基台と、前記支持台の間に設け、
前記穿孔装置に対する前記支持台の相対的な固定位置を複数個有する位置決め手段を備えた請求項１〜３のいずれか１に記載のハードディスク破壊装置。
【請求項５】
穿孔装置と、
一面が開放された６面体形状の箱状収納体と、
前記収納体に収納されたハードディスクドライブ装置のハードディスク平面が、前記穿孔装置の穿孔方向に対して直角な平面内に位置する状態で、収納体を保持する収容部を有する筐体と、
前記収納体の穿孔装置側に位置し、ハードディスクドライブ装置の穿孔装置方向への動きを規制する規制部材と、
前記穿孔装置を、筐体内に保持されたハードディスクドライブ装置へ向けて進行させる移動手段とを備えたハードディスク破壊装置。
【請求項６】
穿孔装置は、ドリルと、ドリルを駆動させる駆動装置とを備えている請求項１〜５のいずれか１に記載のハードディスク破壊装置。
【発明の詳細な説明】
【技術分野】
【０００１】
この発明は、ハードディスクドライブ装置におけるハードディスクを破壊する破壊装置に関するものである。
【背景技術】
【０００２】
近年、パーソナルコンピュータを廃棄する際、ハードディスクドライブ装置に記録されているデータが、廃棄後に読み取られ悪用されるなどの問題が発生している。通常、パーソナルコンピュータの操作画面上でデータを消去する操作を行なった場合には、データが記録されているファイルの管理情報が書き換えられるのみで、記録媒体であるハードディスクに記録されているデータそのものは消去されていない。そのため、データを書き込まれている個所を直接読み出せば、データを復活させることが可能である。
【０００３】
このような問題を解決するには、データを完全に消去する必要があり、そのためには、ハードディスクの全領域に特定のデータを書き込み、データを理論的に消去するか、又は、強力な電磁波をハードディスクに加えて、磁気的に記録された内容を消去するか、或は、物理的にハードディスクを破壊するなどの処理をする等の方法が挙げられる。
【特許文献１】特開２００３−０３０８０１。
【発明の開示】
【発明が解決しようとする課題】
【０００４】
しかし、上記特許文献１のようにデータを書き込む方法は、残留磁気により、精密な測定機器で記録されているデジタル信号を読み取ると、消去する前のデータが読み取れる場合があるといった問題があった。或は、データを部分的に復元できる場合もあるといった問題もあった。また、電磁波を加える方法では、照射する電磁波が人体に悪影響を与える恐れがあり、継続して使用することはできないといった問題がある。
【０００５】
また、物理的にデータの読み取りを完全に不可能とするためには、記録媒体であるハードディスク自体を破壊する必要があるが、ハードディスクドライブ装置の筐体は、頑強に作られているため、内臓されているハードディスクを破壊するためには、大掛かりな装置が必要となる。
【０００６】
さらに、ハードディスクドライブ装置には、２.５インチのハードディスクを内臓したものや、３.５インチのハードディスクを内臓したものなど、大きさの異なるものがある。このようなハードディスクドライブ装置のサイズの変化を許容できる破壊装置であることが望まれる。 
この発明は、コンパクトなハードディスク破壊装置を提供することを目的としている。
【課題を解決するための手段】
【０００７】
以上のような目的は以下の本発明により達成される。 
（１）  ハードディスクドライブ装置を載置する支持台と、
前記支持台上において固定された受部材と、
前記受部材に対して進退自在に配置された押接部材と、
前記押接部材を前記受部材方向へ押圧する押圧手段と、
前記押圧手段による押圧状態と、前記押圧手段による押圧が解除された待機状態とに切り換える切換手段と、
前記受部材と押圧部材との間において、押圧部材による押圧方向に沿って設けられ、被固定状態のハードディスクドライブ装置の対向する両側面に対向して、ハードディスクドライブ装置の配置位置を特定する案内手段と、
穿孔装置と、
前記支持台上において、前記受部材と前記押接部材とによって挟みつれられた状態で固定されたハードディスクドライブ装置へ向けて進行させる移動手段とを備えたハードディスク破壊装置。
【０００８】
（２）  前記受部材と前記押接部材は、大きさの異なる２種類のハードディスクドライブ装置を保持し、前記押接部材の配置位置は、大型ハードディスクドライブ装置の長辺を挟みつけて固定する際の固定位置と、小型ハードディスクドライブ装置の短辺を挟みつけて固定する際の固定位置とを備えており、
大型ハードディスクドライブ装置の配置位置を特定する第１の案内手段と、小型ハードディスクドライブ装置の配置位置を特定する第２の案内手段と備え、
第２の案内手段は、大型ハードディスクドライブ装置の載置面の下側に設けられている上記（１）に記載のハードディスク破壊装置。
【０００９】
（３）  前記穿孔装置による穿孔位置が、ハードディスクドライブ装置の平面視における図心となる位置である上記（１）又は（２）に記載のハードディスク破壊装置。
【００１０】
（４）  案内レールと、該案内レールに対してレール軌道に沿って移動自在に係合している移動体とからなる移動機構を、
前記支持台を支持する基台と、前記支持台の間に設け、
前記穿孔装置に対する前記支持台の相対的な固定位置を複数個有する位置決め手段を備えた上記（１）〜（３）のいずれか１に記載のハードディスク破壊装置。
【００１１】
（５）  穿孔装置と、
一面が開放された６面体形状の箱状収納体と、
前記収納体に収納されたハードディスクドライブ装置のハードディスク平面が、前記穿孔装置の穿孔方向に対して直角な平面内に位置する状態で、収納体を保持する収容部を有する筐体と、
前記収納体の穿孔装置側に位置し、ハードディスクドライブ装置の穿孔装置方向への動きを規制する規制部材と、
前記穿孔装置を、筐体内に保持されたハードディスクドライブ装置へ向けて進行させる移動手段とを備えたハードディスク破壊装置。
【００１２】
（６）  穿孔装置は、ドリルと、ドリルを駆動させる駆動装置とを備えている上記（１）〜（５）のいずれか１に記載のハードディスク破壊装置。
【発明の効果】
【００１３】
本発明のハードディスク破壊装置は、以上のような構成を有するので、ハードディスクを容易に破壊することができる。また、穿孔装置を用いたことにより、頑強な筐体を有するハードディスクドライブ装置に対して、より少ない消費エネルギーで、内部のハードディスクを物理的に破壊することが可能となる。 
また、大きさの異なるハードディスクドライブ装置を同じ支持台上に固定することができる装置とすることで、複数種類ハードディスクドライブ装置に対する破壊作業が可能となる。
【００１４】
ハードディスクドライブ装置の図心位置は、ハードディスクドライブ装置の大きさによらず、共通してハードディスクが位置する場所であることから、穿孔位置に図心が位置するようにハードディスクドライブ装置を固定する構成とすることで、ハードディスクドライブ装置の種類に影響されず、穿孔によるハードディスクの破壊を確実に行うことができる。 
支持台を移動可能とすることで、穿孔位置を変更することができ、ハードディスクドライブ装置のサイズに応じた穿孔位置の変更が可能となる。
【００１５】
ハードディスクドライブ装置の穿孔装置側には、規制部材を設けることで、穿孔方向のハードディスクドライブ装置の固定も確実にできる。特に、穿孔後に、穿孔装置を後退させる際に、穿孔装置とともにハードディスクドライブ装置を引き上げる力が働くが、規制部材によってハードディスクドライブ装置を確実に収納体内に固定することが可能となる。 
また、穿孔装置をドリルとドリル駆動装置で構成とすることで、より省エネルギーでハードディスクを破壊することが可能となる。
【発明を実施するための最良の形態】
【００１６】
以下、本発明の第1実施形態のハードディスク破壊装置について添付図面に基づいて詳説する。図１は、破壊装置１の正面全体斜視図である。図２は、外カバーを外した状態における平面図、図３は、同じく側面図、図４は、同じく正面図である。 
破壊装置１は、基台２０上に取り付けられた外カバー２１内に、ドリル駆動装置３と、ドリル支持装置４と、ハードディスクドライブ装置６を固定する固定装置５と、ハードディスクドライブ装置６の固定位置を位置決めする位置決め装置６とを備えている。外カバー２１は、破壊装置１の背面と両側面を多い、上面と正面側は、開放されている。この上面と、正面側には、穿孔操作時において、破片の飛散を防止するための防護カバーが取り付けられる。
【００１７】
基台２０上には、ドリル支持装置４が配置されている。ドリル支持装置４は、台座４１１と、台座４１１に立設された支柱４１２を有し、さらに、支柱４１２には、ドリル駆動装置３を固定し、これを昇降操作するための移動手段である昇降装置４０が設けられている。昇降装置４０は、支柱４１２に固定された固定部材４３と、固定部材４３の上側において、支柱４１２に昇降自在に取り付けられた昇降部材４４と、レバー４５とを備えている。
【００１８】
固定部材４３は、支柱４１２に固定され、ドリル支持装置４の待機位置を規定しており、連結材４３２が支点４３１を介して揺動自在に連結されている。昇降部材４４は、上端部と下端部に支柱４１２が摺動自在に挿通する挿通部４４３、４４４を有し、下端の挿通部４４４は、固定部材４３の下側に位置している。上端の挿通部４４３と固定部材４３の間には、スプリング４６が支柱４３１に外装される形で介挿されており、昇降部材４４を上方へ付勢している。
【００１９】
昇降部材４４の先端部分には、ドリル駆動装置３が取り付けられている。昇降部材４４の先端部には、支柱４１２の軸方向に沿って形成された孔によって締着部４４１が設けられ、水平方向に挿通するボルトに接続されているハンドル４４２を回すことで、締着部４４１によりドリル駆動装置３を締着固定する。また、ハンドル４４２によって締着部４４１の固定を解除することにより、ドリル駆動装置３の取り外しが可能となる。
【００２０】
レバー４５は、基端部に連結部４３２の支点４３３に連結される孔４５２を備え、支点４５１を介して昇降部材４４に回動自在に接続されている。また、先端部には、把手部４５３を備えている。レバー４５の把手部４５３を下方に引き下げることにより、支点４５１が作用点として作用し、昇降部材４４は下方に押し下げられ、ドリル駆動装置３が下方に移動する。
【００２１】
ドリル駆動装置３は、この実施形態では、ハンドドリルが使用されている。ドリル駆動装置３は、モータを備えた本体３１と、モータの駆動軸に接続されているドリル支持部３２と、ドリル支持部３２に固定されたドリル３３とを備えている。
【００２２】
また、固定部材４３の背面側には、支柱４１２に沿ってタッチスイッチ３４が設けられており、昇降部材４４が下方に移動すると、タッチスイッチ３４がオンし、ドリル駆動装置３に電力が供給され、ドリル駆動装置３が駆動する構成となっている。
【００２３】
即ち、レバー４５の操作により、ドリル駆動装置３のオン・オフも同時に行われる。
【００２４】
以上のようなドリル支持装置４の周囲には、背面側に遮蔽部材２１が、両側には、側板２２ａ、２２ｂが設けられている。遮蔽部材２１の下部にはガイド斜面２１１が設けられ、穿孔動作時に飛散する削りカスを、受け皿２４に案内する。 
側板２２ａ、２２ｂの内側には、案内レールとしての支持レール２３ａ、２３ｂが正面から背面へ向けて水平に配置されている。
【００２５】
次に、ハードディスクドライブ装置を固定する固定装置５について説明する。
【００２６】
固定装置５は、ドリル駆動装置３の下方であって、遮蔽部材２１と側板２２ａ、２２ｂで区切られた空間内に配置されている。固定装置５は、ハードディスクドライブ装置を載置する支持台５１と、固定部材５６と、固定部材５６を固定状態と解除状態に切り換える切換装置５２ａ、５２ｂと、位置決め手段である位置決め装置とを備えている。
【００２７】
図５は固定装置５の構成を示す平面図、図６は、固定装置の支持台５１を手前に引き出した状態を示す斜視図である。 
支持台５１は、両側端に遮蔽部材５４ａ、５４ｂが固定され、さらに、遮蔽部材５４ａ、５４ｂの外側には、移動体としてのレール５５ａ、５５ｂがそれぞれ固定されている。レール５５ａ、５５ｂは、支持レール２３ａ、２３ｂ内に収容され、支持レール２３ａ、２３ｂに対して移動自在に構成されている。このようなレール５５ａ、５５ｂによって、支持台５１は、前後方向に移動自在に支持されている。支持レール２３ａ、２３ｂとレール５５ａ、５５ｂによって移動機構が構成される。
【００２８】
支持台５１は、上面を支持面５１１とし、支持面５１１上にハードディスクドライブ装置７１（又は７２）が載置される。支持面５１１の背面側端部には受け部材５１３が立設されている。また、支持面５１１の正面側の端部には、受け部材５１３に対向する位置に、固定部材５６が配置されている。固定部材５６は、受け部材５１に略平行に配置された押接部５６１と、押接部５６１の両端に接続され、背面側へ向けて延設された側部５６２ａ、５６２ｂを備えている。側部５６２ａ、５６２ｂの外側には、切換装置５２ａ、５２ｂがそれぞれ接続される接続部５６３ａ、５６３ｂが設けられている。
【００２９】
切換装置５２ａ、５２ｂは、正面側から背面側へ向けて（押接部５６１から受け部材５１３方向へ）突出するロッド５２１と、ロッド５２１を支持するカバー５２３と、ロッド５２１を進退操作する摘みレバー５２２とをそれぞれ備えている。摘みレバー５２２を立ち上げると、ロッド５２１が突出し、手前に倒すと、ロッド５２１はカバー５２３側に後退する。ロッド５２１の先端は、接続部５６３の背面側に折り曲げられた接続片５６４（図３）に接続されている。ロッド５２１は、突出方向に付勢されており、押圧部５６１を受け部材５１３方向へ押圧する押圧手段として機能する。 
両側の摘みレバー５２２ａ、５２２ｂを同時に操作することによって、固定部材５６を受け部材５１３方向へ進退移動させる構造となっている。この摘みレバー５２２ａ、５２２ｂによって切換手段が構成される。
【００３０】
固定部材５６と、受け部材５１３で囲まれた空間には、ハードディスクドライブ装置７１が収容される。図６に示されているのは、３.５インチのハードディスクを内臓するハードディスクドライブ装置７１である。空間内には、両端部に、位置決め部材５３ａ、５３ｂが配置されている。位置決め部材５３ａ、５３ｂは、矩形の板材で構成され、外側の端部は上方に折り曲げられ、第１の案内手段である第１案内面５３２ａ、５３２ｂを形成し、内側の対向する端辺５３１には、板厚によって形成される側面によって、第２の案内手段である第２案内面が形成されている。一対の第１案内面５３２ａ、５３２ｂの間に、ハードディスクドライブ装置７１が横方向に（長辺を横方向にした状態で）収納される。また、一対の第２案内面の間には、図５の想像線で示されているように、２.５インチのハードディスクを内臓するハードディスクドライブ装置６２が縦方向に（短辺を横方向にした状態で）収納される。
【００３１】
収納されたハードディスクドライブ装置７１（又は７２）は、受け部材５１３と固定部材５６に挟まれることによって、支持台５１上に固定される。第１案内面５３２ａ、５３２ｂと第２案内面は、ハードディスクドライブ装置７１（又は７２）の配置位置と配置姿勢を規定するために設けられる。
【００３２】
支持台５１の両端部の正面側端部には、支持台５１の位置決めをするための操作竿６１ａ、６１ｂがそれぞれ設けられている。操作竿６１ａ、６１ｂの基端部は、支点６１１ａ、６１１ｂによって、揺動自在に支持されており、操作竿６１ａ、６１ｂの間には、連結梁６３が架設されており、操作竿６１ａ、６１ｂはともに一体として揺動する構成となっている。各操作竿６１ａ、６１ｂの下辺基端部分には、位置決め溝６１１、６１２、６１３が設けられている。
【００３３】
各溝６１１、６１２、６１３は、側板２２ａ、２２ｂに固定されている係合片６２ａ、６２ｂの上端片に係合する。操作竿６１ａ、６１ｂを上方へ揺動させることによって、溝６１１、６１２、６１３と係合片６２ａ、６２ｂとの係合が外れ、支持台５１が移動可能な状態となる。また、係合片６２ａ、６２ｂと係合する溝６１１、６１２、６１３を変更することによって、ドリルによる穿孔位置をＰ1、Ｐ2、Ｐ3に変更することができる。中央の溝６１２が係合片６２に係合している位置が、ハードディスクドライブ装置７１（７２）の平面視における図心が穿孔位置となる固定位置である。各操作竿６１ａ、６１ｂ、溝６１１、６１２、６１３、係合片６２ａ、６２ｂによって位置決め手段が構成されている。
【００３４】
支持台５１の位置決め部材５３ａ、５３ｂの間には、孔５１２が形成されており、ハードディスクドライブ装置７１（又は７２）を穿孔して、その下側に突き抜けたドリルが、支持台５１と干渉しない構成となっている。また、孔５１２を介して、穿孔時の破片が、そのまま下側のトレーに回収される。
【００３５】
支持台５１の下側には、ごみ受トレー２４が配置されている。ごみ受トレー２４は、穿孔時に飛散するごみを収容するトレー２４２と、トレー２４２の正面側に設けられた取っ手２４１とを備えている。また、ごみ受トレー２４は、側板２２ａ、２２ｂの対向する内側面に固定されたレール２４ａ、２４ｂによって支持されており、正面と背面方向にスライド自在に収納されている。
【００３６】
すべての溝６１１、６１２、６１３の係合を解除して、図６に示されているように、支持台５１を最も手前に引き出すことによって、ハードディスクドライブ装置７１を交換することが容易となる。この状態で、ハードディスクドライブ装置７１を交換し、ハードディスクドライブ装置７１を固定部材５によって固定し、支持台５１を押し戻して、いずれかの溝６１１、６１２、６１３に係合片６２ａ、６２ｂを係合させる。これにより、ハードディスクドライブ装置７１の固定は終了し、次に、レバー４５を押し下げる。同時に、ドリル駆動装置３が駆動し、ハードディスクドライブ装置７１に穿孔作業が開始され、ドリル３３の先端が支持台５１の下側まで達した状態（図３において、想像線で示す）で、穿孔が完了する。
【００３７】
ハードディスクドライブ装置７１の平面視における図心の位置には、ハードディスクドライブ装置のいずれのサイズにおいても共通してハードディスクの一部が存在するので、この位置を目印として穿孔することで、確実に内臓されているハードディスクを破壊することができる。
【００３８】
次に、第２実施形態のハードディスク破壊装置について説明する。このハードディスク破壊装置は、基台２０上に取り付けられた外カバー２１内に、ドリル駆動装置３と、ドリル支持装置４を有する点は、既述の第１実施形態の破壊装置と同様であるので、その説明を援用し、説明を省略する。
【００３９】
この第２実施形態の破壊装置では、ハードディスクドライブ装置を固定する固定装置８の構成が、第１実施形態の破壊装置の固定装置と異なるので、この固定装置８の構成について、図７及び図８に基づいて説明する。外カバー内において、ドリル３３の下方位置（ドリル３３の軸線上）に、固定装置８が設けられている。
【００４０】
固定装置８は、筐体８１と、筐体８１内に収納される収容体８２と、収納体８２の下側において、筐体８１内に収納されるごみ受トレー８３とを備えている。
【００４１】
筐体８１は、収容体８２を収容する収容部８１１と、収容部８１１の下側にごみ受トレー８３を収容する空間を有し、収容部８１１の底部の両端には、収容体８２を挿入する挿入口から奥へ向けて支持フランジ８１２、８１２が形成されている。収容体８２は、この支持フランジ８１２、８１２に支持される。支持フランジ８１２、８１２の間には、隙間８１４が形成されている。
【００４２】
一方、筐体８１の上板８１５の中央部には、円形の窓８１３が形成されており、この窓８１３の中心部に、ドリル３３の軸線が通る構成となっている。窓８１３の周囲端に沿って、遮蔽板８５が立設されており、遮蔽板８５の正面側は、穿孔部分の視認ができるように、開放された状態となっている。
【００４３】
遮蔽板８５には、その外側から内側に伸びる導油管８６が設けられており、先端は、穿孔部分の近傍に達している。導油管５６の基端には、チューブ８６１が接続され、潤滑油が充填された高圧ガス容器の噴射口に連結されている。潤滑油は、ドリル３３によりハードディスクドライブ装置に孔を空ける際に、供給され、ドリル３３の磨耗と、発熱を抑制する。
【００４４】
筐体８１の収容部８１１に挿入される収納体８２は、上面が開放された箱型に形成され、正面側の側板には、取っ手８２４が設けられている。また、箱の内部は、破壊するハードディスクドライブ装置を収納する収納部８２１となっており、収納部８２１の大きさは、ハードディスクドライブ装置の大きさに合致する大きさに構成されている。底面８２２の中央部分には、窓８２３が形成されている。
【００４５】
また、収納体８２の側面には、収納体８２の挿入方向に配列された３つの突起がもうけられ、この３つの突起によって位置決め部８４１が構成されている。この突起は、それぞれ鋸歯状の断面を有し、斜面と、段部を有している。筐体８１において、収納体８２を収容部８１１に収容した状態における、位置決め部８４１に対応する位置には、位置決めピン８４２が設けられている。このピン８４２は、ピン先端８４３が収納体８２へ向けて付勢された状態で、支持されている。収納体８２を収容部８１１に押し込むと、位置決め部８４１の各突起が、ピン先端８４３を押し出して、各突起の端部Ｐ1、Ｐ２、Ｐ３で、ピン先端８４３と係合し、収納体８２の位置決めをする構成となっている。位置決め部８４１及び位置決めピン８４２によって位置決め手段が構成される。収納体８２を引き抜くときは、位置決めピン８４２の後端部を摘んで引き抜くことにより、ピン先端８４３と位置決め部８４１との係合を解除することができる。
【００４６】
窓８２３は、収納体８２の位置を、上記Ｐ１〜Ｐ３のいずれの位置としても、常に窓８２３内にドリル３３の軸線が通る程度に、十分な広さに形成されている。
【００４７】
収納体８２にハードディスクドライブ装置を装填し、筐体８１内にセットした状態で、ドリル３３を回転駆動させつつ、先端方向に移動させると、ドリル３３は、窓８１３の中央を通過し、ハードディスクドライブ装置を貫通し、窓８２３、隙間８１４に達する。穿孔が終了した後、ドリス３３を後退させると、貫通しているハードディスクドライブ装置とドリル３３との間の摩擦によって、ハードディスクドライブ装置を上方に引き上げる力が加わる。しかし、収納体８２は、筐体８１内に収容されており、収納体８２の開放側には、筐体８１の上板８１５が規制部材として覆い被せられているので、ハードディスクドライブ装置は、収納体８２内に保持された状態が確実に維持される。
【００４８】
穿孔時の削りカスは、ごみ受トレー８３内に収容される。ごみ受トレー８３は、取っ手８３１を摘んで引き出され、収容された削りカスは、捨てられる。
【００４９】
この収納体８２は、３．５インチのハードディスクを内蔵するハードディスクドライブ装置を収納する大きさに設定されている。ここで、より大きさの小さい２．５インチのハードディスクを内蔵するハードディスクドライブ装置を収納するには、図８に示されているようなアダプター９を、収納体８２内に収納する。アダプター９は、両端に下側に折り曲げられた脚９４、９４を有し、中央には、２．５インチのハードディスクドライブ装置に合致した大きさの凹部で構成された収納部９１を有している。脚９４、９４は、収納体８２の深さに合致した長さに構成されている。収納部９１の底面９２には、窓９３が形成されている。
【００５０】
収納体８２内にアダプター９を収納すると、収納部９１によって、収納体８２内に、２．５インチのハードディスクドライブ装置に合致した収納空間が形成され、ここに２．５インチのハードディスクドライブ装置が収納される。
【図面の簡単な説明】
【００５１】
【図１】ハードディスク破壊装置の正面全体斜視図である。
【図２】外カバーを外した状態におけるハードディスク破壊装置の平面図である。
【図３】外カバーを外した状態におけるハードディスク破壊装置の側面図である。
【図４】外カバーを外した状態におけるハードディスク破壊装置の正面図である。
【図５】固定装置の構成を示す平面図である。
【図６】固定装置の支持台を手前に引き出した状態を示すハードディスク破壊装置の部分斜視図である。
【図７】他の実施形態におけるハードディスクドライブ装置の固定装置を示す斜視図である。
【図８】他の実施形態におけるハードディスクドライブ装置の収容体の構成を示す全体斜視図である。
【符号の説明】
【００５２】
１  ハードディスク破壊装置
２１  外カバー
３  ドリル駆動装置
４  ドリル支持装置
４０  昇降装置
５  固定装置
５１  支持台
５１１  支持面
５２  切換装置
５３  位置決め部材
５６  固定部材
７１、７２  ハードディスクドライブ装置
８  固定装置
８１  筐体
８２  収納体
９  アダプター
【図１】
2004158172.tif 000003
【図２】
2004158172.tif 000004
【図３】
2004158172.tif 000005
【図４】
2004158172.tif 000006
【図５】
2004158172.tif 000007
【図６】
2004158172.tif 000008
【図７】
2004158172.tif 000009
【図８】
2004158172.tif 000010